(57)【要約】【課題】自然なシルエットを有し、且つサイズを拡張可能なシャツを提供することである。【解決手段】衿４と、カフスと、前身頃２と、後身頃３を有し、前身頃２は、前開きであって、前立て６を有し、前身頃２にはダーツ１０，１１が設けられており、後身頃３にはダーツ１２，１３が設けられており、ダーツ１０〜１３は、前立て６に沿う方向にあって、ほどきやすい。また、ダーツ１０，１１は前身頃２に左右対称に設けられ、ダーツ１２，１３は後身頃３に左右対称に設けられている。【選択図】図２
2011184829.tif 000002
【特許請求の範囲】
【請求項１】
衿と、カフスと、前身頃と、後身頃を有し、
前身頃は、前開きであって、前立てを有し、
前身頃と後身頃には各々ダーツが設けられており、
当該ダーツは、前立てに沿う方向にあって、ほどきやすいことを特徴とするシャツ。
【請求項２】
前記ダーツは、前身頃及び後身頃に各々左右対称に設けられていることを特徴とする請求項１に記載のシャツ。
【請求項３】
前身頃と後身頃を縫い合わせた脇縫線を有し、
前記ダーツは、脇縫線の近傍に位置することを特徴とする請求項１又は２に記載のシャツ。
【請求項４】
前記ダーツは、環縫いされていることを特徴とする請求項１乃至３のいずれかに記載のシャツ。
【発明の詳細な説明】
【技術分野】
【０００１】
本発明はシャツに関し、さらに詳細には、サイズを拡張可能なシャツに関する。
【背景技術】
【０００２】
ワイシャツやカッターシャツ、ドレスシャツ等と呼ばれているシャツ（shirt）は、背広やスーツに合わせて利用されている。また、夏場の軽装による冷房の節約キャンペーンであるクールビズにおいては、ネクタイや上着を着用しないことが推奨されており、シャツだけで利用されることも多い。
シャツは、布地から自己の体型に合わせて仕立てるのが理想であるが、既成品を着用することの方がむしろ多い。ところで、近年、成人の肥満の問題があり、体型の変化に伴って既成品のシャツを買い替えることが当然のように行われている。しかし、仕事着等にシャツを利用している消費者にとっては、全てのシャツを買い替えることは、経済的に大きな負担となる。特許文献１には、袖付衣服の簡易サイズアップ構造が開示されている。
【先行技術文献】
【特許文献】
【０００３】
【特許文献１】実開平６−３０１１８号公報
【発明の概要】
【発明が解決しようとする課題】
【０００４】
特許文献１に開示された袖付衣服の簡易サイズアップ構造では、衣服の袖下及び脇下ダーツの縫い目をほどくことにより、最大で８ｃｍのサイズアップが可能である。
ところが、特許文献１に開示された袖付衣服の簡易サイズアップ構造は、衣服の袖部にまでダーツがあり、袖部の径まで変更が必要である。また、ダーツが袖下及び脇下にだけあるため、急激なくびれが生じて不自然なシルエットとなり、衣服としての見栄えが悪い。
【０００５】
上記した現状に鑑み、本発明は、自然なシルエットを有し、且つサイズを拡張可能なシャツの提供を目的とする。
【課題を解決するための手段】
【０００６】
上記課題を解決するための請求項１に記載の発明は、衿と、カフスと、前身頃と、後身頃を有し、前身頃は、前開きであって、前立てを有し、前身頃と後身頃には各々ダーツが設けられており、当該ダーツは、前立てに沿う方向にあって、ほどきやすいことを特徴とするシャツである。
【０００７】
本発明のシャツは、衿と、カフスと、前身頃と、後身頃を有するものであり、前身頃は、前開きであって、前立てを有するものである。また、本発明のシャツは、前身頃と後身頃には各々ダーツが設けられており、当該ダーツは、前立てに沿う方向にあって、ほどきやすいものである。ダーツとは、平面の布地を立体化する手段であり、布地の一部をつまんで細長い形状に縫ったものである。すなわち、本発明のシャツは、ほどきやすいダーツを前身頃と後身頃に設けている。そのため、ダーツを容易にほどくことができ、さらに、つままれた布地を拡げることが容易である。また、ダーツを前身頃と後身頃に設けたことにより、一つひとつのダーツの布地のつまむ量を小さくすることができる。そのため、ダーツを設けているにも関わらず、見た目に違和感を感じることがない。本発明のシャツによれば、自然なシルエットを有し、且つ容易にサイズを拡張することができる。
【０００８】
請求項２に記載の発明は、前記ダーツは、前身頃及び後身頃に各々左右対称に設けられていることを特徴とする請求項１に記載のシャツである。
【０００９】
本発明のシャツでは、前記ダーツは、前身頃及び後身頃に各々左右対称に設けられているものである。左右対称に設けられたダーツは、ダーツをほどく前と、ダーツをほどいた後の両方において、見た目にバランスが良い。本発明のシャツによれば、バランスの良いシルエットを有することができる。
【００１０】
請求項３に記載の発明は、前身頃と後身頃を縫い合わせた脇縫線を有し、前記ダーツは、脇縫線の近傍に位置することを特徴とする請求項１又は２に記載のシャツである。
【００１１】
本発明のシャツでは、前身頃と後身頃を縫い合わせた脇縫線を有し、前記ダーツは、脇縫線の近傍に位置するものである。脇縫線は、通常の姿勢においては、シャツの袖で隠れる。そのため、脇縫線の近傍に位置するダーツは、目立ちにくい。また、脇縫線の近傍は、胸ポケット等がないため、ダーツを長くすることができる。そのため、深いにも関わらず、なだらかなくびれをシャツに設けることができる。本発明のシャツによれば、より自然なシルエットを有することができる。
【００１２】
請求項４に記載の発明は、前記ダーツは、環縫いされていることを特徴とする請求項１乃至３のいずれかに記載のシャツである。
【００１３】
本発明のシャツでは、前記ダーツは、環縫いされているものである。環縫いは、チェーンステッチとも呼ばれている、１本の連続した糸で縫う方法である。すなわち、環縫いは、一部を切断することにより、容易に抜糸することができる。本発明のシャツによれば、より容易にサイズを拡張することができる。
【発明の効果】
【００１４】
本発明のシャツによれば、自然なシルエットを有し、且つ容易にサイズを拡張することができる。
【図面の簡単な説明】
【００１５】
【図１】本発明の実施形態に係るシャツを示す図であり、（ａ）は正面図、（ｂ）は背面図である。
【図２】図１のシャツの内側を示す正面図である。
【図３】図２のダーツを示す図であり、（ａ）は斜視図、（ｂ）は（ａ）のＡ−Ａ断面図である。
【図４】ダーツをほどく手順を示す断面図であり、（ａ）は糸切前の状態、（ｂ）は糸切後の状態、（ｃ）はダーツが伸びた状態を示す。
【図５】図１のシャツのダーツを解いた図であり、（ａ）は正面図、（ｂ）は背面図である。
【発明を実施するための形態】
【００１６】
以下は、本発明のシャツの実施形態について、図面を参照しながら詳細に説明する。なお、以下の説明は、実施形態の理解を容易にするためのものであり、これによって、本発明が制限して理解されるべきではない。また、公知のものについては、説明を省略する。
【００１７】
図１（ａ）に示すように、シャツ１は、前身頃２と、後身頃３と、衿４と、カフス５と、前立て６と、袖７を有している。
前身頃２は、右前身頃１７と左前身頃１８を有している。また、前身頃２は、ダーツ１０，１１を有している。詳細には、右前身頃１７はダーツ１０を有し、左前身頃１８はダーツ１１を有している。ダーツ１０，１１は、前立て６に沿う方向にあって、前身頃２に左右対称に位置している。ダーツ１０，１１の近傍には、くびれ２０を有している。
後身頃３は、図１（ｂ）に示すように、ダーツ１２，１３を有している。ダーツ１２，１３は、ダーツ１０，１１と同様に前立て６に沿う方向にあって、後身頃３に左右対称に位置している。ダーツ１２，１３の近傍には、くびれ２０を有している。
【００１８】
図２に示すように、シャツ１の内側２２には、前身頃２と後身頃３を縫い合わせた脇縫線８を有している。脇縫線８は、シャツ１の両側を成すものであり、脇縫線８の近傍にダーツ１０〜１３が位置し、ダーツ１０〜１３はシャツ１の内側２２に突出している。
ここで、ダーツ１０〜１３の構造について、ダーツ１２を例に詳述する。ダーツ１２は、図３（ａ）に示すように、山稜状を成しており、尾根形状である。すなわち、ダーツ１２は、後身頃３に略直交する方向に突出しており、略中央部を最大の高さとして、高さがほぼゼロに等しい両側に向かって、なだらかな曲線を成している。また、ダーツ１２は、図３（ｂ）に示すように、後身頃３を構成する布地３０が内側に折られ、二重に合わされている。さらに、ダーツ１２の根元１５は、糸２５で環縫いされている。すなわち、ダーツ１２は、平面の布地３０を立体化する手段であり、布地３０の一部をつまんで細長い形状に縫ったものである。
このように、シャツ１にダーツ１２を設けることにより、図１（ｂ）に示すように、シャツ１にくびれ２０を生じさせている。なお、ダーツ１０，１１，１３も、ダーツ１２と同様であるので、説明を省略する。
【００１９】
つぎに、ダーツ１０をほどく手順について、ダーツ１２を例に説明する。
図４（ａ）に示すように、ダーツ１２に環縫いされた糸２５を、ハサミ４０で切断する。なお、この糸切前のダーツ１２の近傍は、長さＡである。
すると、図４（ｂ）に示すように、糸２５が抜けたダーツ１２は、容易にほどくことができる。
そして、図４（ｃ）に示すように、ダーツ１２は、完全に伸びた状態となる。なお、ダーツ１２の近傍は、長さＢとなった。すなわち、布地３０が二重に合わされていたダーツ１２が伸びたことにより、内側に折られていた布地３０が拡がり、シャツ１のくびれ２０が無くなった。なお、ダーツ１０，１１，１３も、ダーツ１２と同様であるので、説明を省略する。
ダーツ１０〜１３がほどかれたシャツ１は、図５（ａ），（ｂ）に示すように、ダーツ１０〜１３をほどく前の状態（くびれ２０を有した状態）よりもサイズが拡張されている。
なお、ダーツ１０〜１３一つ当たりの拡張できる長さは、２．５ｃｍであり、ダーツ１０〜１３をほどくと、シャツ１はサイズを１０ｃｍ拡張することができる。
【００２０】
上述のように、ダーツ１０〜１３は、環縫いされていることにより、容易にほどくことができる。
ダーツ１０，１１が前身頃２に左右対称に設けられ、ダーツ１２，１３が後身頃３に左右対称に設けられたことにより、ダーツ１０〜１３をほどく前と、ダーツ１０〜１３をほどいた後の両方において、見た目にバランスが良い。また、シャツ１に４つのダーツ（ダーツ１０〜１３）を設けることにより、一つひとつのダーツの布地３０のつまむ量を小さくすることができ、見た目に違和感を感じることがない。
さらに、ダーツ１０〜１３が脇縫線８の近傍に位置することにより、脇縫線８の近傍には胸ポケット等がないため、ダーツ１０〜１３を長くすることができる。そのため、深いにも関わらず、くびれ２０がなだらかな曲線となり、より自然なシルエットを有することができる。
【００２１】
以上のように、本実施形態によれば、自然なシルエットを有し、且つ容易にサイズを拡張することができる。
なお、ダーツ１０〜１３は、消費者の体型に応じて、ダーツ１０，１１のみをほどく場合や、ダーツ１２，１３のみをほどく場合があっても構わない。
【００２２】
上記した実施形態では、ダーツ１０〜１３一つ当たりの拡張できる長さを２．５ｃｍとする例を示したが、本発明はこれに限定されるものではない。例えば、ダーツ１０〜１３を２．５ｃｍ以下とすることや、２．５ｃｍ以上としても構わない。
【符号の説明】
【００２３】
１    シャツ
２    前身頃
３    後身頃
４    衿
５    カフス
６    前立て
８    脇縫線
１０，１１，１２，１３    ダーツ
【図１】
2011184829.tif 000003
【図２】
2011184829.tif 000004
【図３】
2011184829.tif 000005
【図４】
2011184829.tif 000006
【図５】
2011184829.tif 000007